(57)【要約】【課題】マイクロ発光ダイオードチップを精度よく所定の位置に配置する。【解決手段】保持部材３０は、複数の発光ダイオードチップ５０を保持する。保持部材３０は、基材３１と、基材３１の一方の面上に設けられた弾性フィルム３２と、弾性フィルム３２の一方の面上に規則的に二次元配列された複数の突出部３３と、突出部３３の先端に設けられた粘着性を有する粘着層３５と、を備える。【選択図】図５
2020174128.tif 000002
【特許請求の範囲】
【請求項１】
複数の発光ダイオードチップを保持する保持部材であって、
基材と、
前記基材の一方の面上に設けられた弾性フィルムと、
前記弾性フィルムの一方の面上に規則的に二次元配列された複数の突出部と、
前記突出部の先端に設けられた粘着性を有する粘着層と、を備える、保持部材。
【請求項２】
前記基材及び前記弾性フィルムの平面視における面積は、１７６ｃｍ２以上である、請求項１に記載の保持部材。
【請求項３】
前記基材及び前記弾性フィルムは、透明である、請求項１または２に記載の保持部材。
【請求項４】
前記弾性フィルムの線膨張係数は、１０×１０−５／Ｋ以下である、請求項１乃至３のいずれか一項に記載の保持部材。
【請求項５】
前記弾性フィルムのヤング率は、０．１ＧＰａ以上１０ＧＰａ以下である、請求項１乃至４のいずれか一項に記載の保持部材。
【請求項６】
前記基材と前記弾性フィルムとの接着強度は、０．１ＭＰａ以上１００ＭＰａ以下である、請求項１乃至５のいずれか一項に記載の保持部材。
【請求項７】
前記突出部の前記弾性フィルムの側の面は、前記突出部の前記粘着層の側の面より大きい、請求項１乃至６のいずれか一項に記載の保持部材。
【請求項８】
請求項１乃至７のいずれか一項に記載の保持部材と、
各突出部に前記粘着層を介して保持された複数の発光ダイオードチップと、を備える、転写部材。
【請求項９】
ダイシングされた発光ダイオードチップを有するチップ基板を請求項１乃至７のいずれか一項に記載の保持部材に接触させて、複数の前記発光ダイオードチップを前記保持部材の第１領域内の複数の突出部上に保持させる工程と、
前記チップ基板に対して前記保持部材を相対移動させる工程と、
前記チップ基板を前記保持部材に接触させて、前記複数の前記発光ダイオードチップとは異なる他の複数の前記発光ダイオードチップを前記保持部材の前記第１領域とは異なる第２領域内の複数の突出部上に保持させる工程と、を備える、転写部材の製造方法。
【請求項１０】
請求項８に記載の転写部材の前記発光ダイオードチップが、回路基板の回路に電気的に接続するように位置決めする工程と、
前記基材を前記弾性フィルムから剥離させる工程と、
前記弾性フィルムを押圧して、複数の前記発光ダイオードチップを前記転写部材の前記保持部材から前記回路基板に一括で転写する工程と、を備える、発光基板の製造方法。
【請求項１１】
前記基材を前記弾性フィルムから剥離させる工程は、前記基材と前記弾性フィルムとの境界面を焦点としたレーザーを照射する工程を含む、請求項１０に記載の発光基板の製造方法。
【発明の詳細な説明】
【技術分野】
【０００１】
本発明は、保持部材、保持部材を有する転写部材、転写部材の製造方法、及び転写部材を用いた発光基板の製造方法に関する。
【背景技術】
【０００２】
近年、回路を有する回路基板に複数のマイクロ発光ダイオード（ＬＥＤ）チップを配置した発光基板を用いた表示装置、いわゆるマイクロＬＥＤディスプレイが注目されている。マイクロＬＥＤディスプレイは、液晶ディスプレイ等に比べて、輝度、消費電力、応答速度、信頼性等の面で優れており、次世代の軽量且つ薄型のディスプレイとして注目されている。
【０００３】
従来、マイクロＬＥＤディスプレイに用いられる発光基板を製造する際に、ウエハをダイシングして形成された複数のマイクロ発光ダイオードチップを、ピックアンドプレイス工程により、１つずつ回路基板に配置していた。このような発光基板の製造方法では、ピックアンドプレイス工程を数百万回以上繰り返すことになるため、回路基板にマイクロ発光ダイオードチップを配置する工程に時間がかかり、それに伴って製造コストが上昇してしまう。すなわち、低い生産性でしか発光基板を製造することができない。
【０００４】
そこで、特許文献１のように、粘着スタンプによって、ウエハから回路基板にマイクロ発光ダイオードチップを配置することが考えられた。特許文献１の粘着スタンプは、複数のマイクロ発光ダイオードチップを保持することができるため、１回のピックアンドプレイス工程で複数のマイクロ発光ダイオードチップを回路基板に配置することができる。したがって、回路基板にマイクロ発光ダイオードチップを配置する工程に要する時間を短縮し、製造コストを削減することができる。
【先行技術文献】
【特許文献】
【０００５】
【特許文献１】特表２０１７−５３１９１５号公報
【発明の概要】
【発明が解決しようとする課題】
【０００６】
ところで、特許文献１の粘着スタンプは、ピックアンドプレイス工程を繰り返し行うと、粘着力が低下してしまう。粘着スタンプの粘着力が低下すると、ピックアンドプレイス工程を行う際に粘着スタンプがマイクロ発光ダイオードチップを保持する確実性が低下してしまう。このため、粘着スタンプに粘着力を付与する工程や、粘着スタンプを交換する工程を要することになり、発光基板の製造の生産性を高めにくい。
【０００７】
そこで、本件発明者らは検討を行い、ピックアンドプレイス工程を繰り返し行うことなく、ウエハから回路基板にマイクロ発光ダイオードチップを配置することを可能とする、さらには回路基板にマイクロ発光ダイオードチップを一括で配置することを可能とする、マイクロ発光ダイオードチップを保持する保持部材及び当該保持部材を有するマイクロ発光ダイオードチップの転写部材を見出した。
【０００８】
このような転写部材からマイクロ発光ダイオードチップを回路基板に転写して配置する際に、マイクロ発光ダイオードチップを保持する保持部材の基材に圧力が加えられる。基材の剛性が高い場合、圧力が加えられることで基材が破損してしまい、破損箇所において基材が折れ曲がったりし得る。この結果、マイクロ発光ダイオードチップを回路基板の所定の位置に配置する位置精度が低下してしまう。一方、基材の剛性が低い場合、圧力が加えられると基材が変形してしまい、やはりマイクロ発光ダイオードチップを回路基板の所定の位置に配置する位置精度が低下してしまう。本発明は、このような点を考慮してなされたものであり、マイクロ発光ダイオードチップを精度よく所定の位置に配置することを目的とする。
【課題を解決するための手段】
【０００９】
本発明の保持部材は、複数の発光ダイオードチップを保持する保持部材であって、
基材と、
前記基材の一方の面上に設けられた弾性フィルムと、
前記弾性フィルムの一方の面上に規則的に二次元配列された複数の突出部と、
前記突出部の先端に設けられた粘着性を有する粘着層と、を備える。
【００１０】
本発明の保持部材において、前記基材及び前記弾性フィルムの平面視における面積は、１７６ｃｍ２以上であってもよい。
【００１１】
本発明の保持部材において、前記基材及び前記弾性フィルムは、透明であってもよい。
【００１２】
本発明の保持部材において、前記弾性フィルムの線膨張係数は、１０×１０−５／Ｋ以下であってもよい。
【００１３】
本発明の保持部材において、前記弾性フィルムのヤング率は、０．１ＧＰａ以上１０ＧＰａ以下であってもよい。
【００１４】
本発明の保持部材において、前記基材と前記弾性フィルムとの接着強度は、０．１ＭＰａ以上１００ＭＰａ以下であってもよい。
【００１５】
本発明の保持部材において、前記突出部の前記弾性フィルムの側の面は、前記突出部の前記粘着層の側の面より大きくてもよい。
【００１６】
本発明の転写部材は、
上述したいずれかの保持部材と、
各突出部に前記粘着層を介して保持された複数の発光ダイオードチップと、を備える。
【００１７】
本発明の転写部材の製造方法は、
ダイシングされた発光ダイオードチップを有するチップ基板を上述したいずれかの保持部材に接触させて、複数の前記発光ダイオードチップを前記保持部材の第１領域内の複数の突出部上に保持させる工程と、
前記チップ基板に対して前記保持部材を相対移動させる工程と、
前記チップ基板を前記保持部材に接触させて、前記複数の前記発光ダイオードチップとは異なる他の複数の前記発光ダイオードチップを前記保持部材の前記第１領域とは異なる第２領域内の複数の突出部上に保持させる工程と、を備える。
【００１８】
本発明の発光基板の製造方法は、
上述した転写部材の前記発光ダイオードチップが、回路基板の回路に電気的に接続するように位置決めする工程と、
前記基材を前記弾性フィルムから剥離させる工程と、
前記弾性フィルムを押圧して、複数の前記発光ダイオードチップを前記転写部材の前記保持部材から前記回路基板に一括で転写する工程と、を備える。
【００１９】
本発明の発光基板の製造方法において、前記基材を前記弾性フィルムから剥離させる工程は、前記基材と前記弾性フィルムとの境界面を焦点としたレーザーを照射する工程を含んでもよい。
【発明の効果】
【００２０】
本発明によれば、マイクロ発光ダイオードチップを精度よく所定の位置に配置することができる。
【図面の簡単な説明】
【００２１】
【図１】図１は、マイクロ発光ダイオードチップを有する発光基板を用いた表示装置を示す分解斜視図である。
【図２】図２は、マイクロ発光ダイオードチップを有する発光基板の平面図である。
【図３】図３は、図２の発光基板の一部を拡大して示す図である。
【図４】図４は、マイクロ発光ダイオードチップを有する発光基板の縦断面図である。
【図５】図５は、転写部材の縦断面図である。
【図６】図６は、保持部材の縦断面図である。
【図７】図７は、保持部材の平面図である。
【図８】図８は、ダイシングされたマイクロ発光ダイオードチップを有するチップ基板を示す平面図である。
【図９】図９は、保持部材にマイクロ発光ダイオードチップを保持させる工程を説明するための図である。
【図１０】図１０は、保持部材にマイクロ発光ダイオードチップを保持させる工程を説明するための図である。
【図１１】図１１は、保持部材にマイクロ発光ダイオードチップを保持させる工程を説明するための図である。
【図１２】図１２は、保持部材にマイクロ発光ダイオードチップを保持させる工程を説明するための図である。
【図１３】図１３は、保持部材にマイクロ発光ダイオードチップを保持させる工程を説明するための図である。
【図１４】図１４は、保持部材にマイクロ発光ダイオードチップを保持させる工程を説明するための図である。
【図１５】図１５は、保持部材にマイクロ発光ダイオードチップを保持させる工程を説明するための図である。
【図１６】図１６は、転写部材から回路基板にマイクロ発光ダイオードチップを転写する工程を説明するための図である。
【図１７】図１７は、転写部材から回路基板にマイクロ発光ダイオードチップを転写する工程を説明するための図である。
【図１８】図１８は、転写部材から回路基板にマイクロ発光ダイオードチップを転写する工程を説明するための図である。
【図１９】図１９は、転写部材から回路基板にマイクロ発光ダイオードチップを転写する工程を説明するための図である。
【図２０】図２０は、保持部材の一変形例を説明するための図である。
【発明を実施するための形態】
【００２２】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２３】
また、「シート面（板面、フィルム面）」とは、対象となるシート状（板状、フィルム状）の部材を全体的かつ大局的に見た場合において対象となるシート状部材（板状部材、フィルム状部材）の平面方向と一致する面のことを指す。
【００２４】
さらに、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２５】
図１は、表示装置１を概略的に示す分解斜視図である。表示装置１は、表示面５に画像等を表示する。図１に示された例において、表示装置１は、発光基板１０と、発光基板１０に対向して配置された拡散層７と、を有している。図示された例において、拡散層７の発光基板１０に対向する側とは逆側の面が、表示装置１の表示面５となっている。表示装置１は、１つ又は複数の発光ダイオードから発光した光を１つの画素として用いている、いわゆるマイクロＬＥＤディスプレイである。図示された例において、発光基板１０で発光した光は、拡散層７で拡散される。ただし、図示された例に限らず、表示装置１において、拡散層７が省略されてもよい。
【００２６】
発光基板１０は、表示面５に表示する画像を形成する光を発光する。図２は、発光基板１０の一部を示す平面図であり、図３は、図２の発光基板１０の一部を拡大して示す平面図であり、図４は、発光基板１０の一部を示す縦断面図である。図２に示すように、発光基板１０は、回路基板１１と、回路基板１１上に規則的に二次元配列された複数のマイクロ発光ダイオードチップ（単に「発光ダイオードチップ」とも呼ぶ）５０と、を有している。回路基板１１は、後述する転写部材２０からマイクロ発光ダイオードチップ５０を転写される工程において、マイクロ発光ダイオードチップ５０を有する転写部材２０と位置決めするための位置決め手段を有している。図２に示す例では、位置決め手段は、十字型の複数の位置決めマークＭ１である。ただし、十字型の位置決めマークＭ１は例示に過ぎず、例えば四角形、三角形、丸等の種々の位置決めマークＭ１を用いることができる。また、図３に示すように、回路基板１１は、回路１３を有している。さらに、図４に示すように、各マイクロ発光ダイオードチップ５０は、２つの電極５１を有している。マイクロ発光ダイオードチップ５０は、電極５１を介して、回路１３に電気的に接続している。回路１３に流れる電流を制御して２つの電極５１の間に電圧を印加することで、任意のマイクロ発光ダイオードチップ５０を発光させることができる。複数のマイクロ発光ダイオードチップ５０の発光の組み合わせにより、表示装置１が表示する画像を形成することができる。
【００２７】
マイクロ発光ダイオードチップ５０から発光する光の波長は、マイクロ発光ダイオードチップ５０を構成する半導体材料等によって決定される。マイクロ発光ダイオードチップ５０は、例えばＧａＡｓ系化合物半導体、ＩｎＰ系化合物半導体、ＧａＮ系化合物半導体等を含んでいる。平面視におけるマイクロ発光ダイオードチップ５０の寸法は、例えば１辺が３μｍ以上１０００μｍ以下の矩形形状とすることができ、マイクロ発光ダイオードチップ５０の厚さは、例えば１０μｍ以上５００μｍ以下とすることができる。
【００２８】
図示された例では、マイクロ発光ダイオードチップ５０は、波長域６２０ｎｍ〜６８０ｎｍの赤色の光を発光する第１発光ダイオードチップ５０Ｒと、波長域５３０ｎｍ〜５７０ｎｍの緑色の光を発光する第２発光ダイオードチップ５０Ｇと、波長域４４０ｎｍ〜４８０ｎｍの青色の光を発光する第３発光ダイオードチップ５０Ｂと、を含んでいる。互いの近傍に配置された第１発光ダイオードチップ５０Ｒ、第２発光ダイオードチップ５０Ｇ及び第３発光ダイオードチップ５０Ｂが、表示装置１の１つの画素を形成している。このため、発光基板１０は、フルカラーで表示する画像を形成する光を発光することができる。
【００２９】
発光基板１０は、回路基板１１の回路１３が形成された位置にマイクロ発光ダイオードチップ５０を配置することで製造される。複数のマイクロ発光ダイオードチップ５０が配置された発光基板１０を高い生産性で製造するために、図５に示すような保持部材３０、及び保持部材３０を有する転写部材２０が用いられる。
【００３０】
以下、保持部材３０及び保持部材を有する転写部材２０の一実施の形態について、図５乃至図７を参照しつつ説明する。
【００３１】
図５は、転写部材２０の一部を示す縦断面図である。転写部材２０は、複数のマイクロ発光ダイオードチップ５０を一括で回路基板１１に転写することを可能にする部材である。１回の転写のみで回路基板１１の全体にマイクロ発光ダイオードチップ５０を配置することができるよう、転写部材２０の平面視における寸法は、回路基板１１の平面視における寸法以上であることが好ましい。
【００３２】
転写部材２０は、保持部材３０と、保持部材３０に保持された複数のマイクロ発光ダイオードチップ５０と、を有している。複数のマイクロ発光ダイオードチップ５０は、転写部材２０において、当該マイクロ発光ダイオードチップ５０が転写される回路基板１１のマイクロ発光ダイオードチップ５０が配置される位置に対応した位置に保持されるよう、配置されている。言い換えると、複数のマイクロ発光ダイオードチップ５０の転写部材２０における配列間隔および配列パターンは、当該複数のマイクロ発光ダイオードチップ５０が回路基板１１上で配列されるべき配列間隔および配列パターンと同一となっている。また、図示された例では、マイクロ発光ダイオードチップ５０として、第１発光ダイオードチップ５０Ｒが、保持部材３０に保持されている。
【００３３】
保持部材３０は、複数のマイクロ発光ダイオードチップ５０を保持することができる部材である。図６は、本発明の保持部材３０の一部を示す縦断面図であり、図７は、保持部材３０の一部を示す平面図である。図６及び図７に示すように、保持部材３０は、基材３１と、基材３１の一方の面上に設けられた弾性フィルム３２と、弾性フィルム３２の一方の面上に設けられた複数の突出部３３と、各突出部３３の先端に設けられた粘着層３５と、を有している。
【００３４】
基材３１は、弾性フィルム３２及び複数の突出部３３を適切に支持する部材である。基材３１は、後述する保持部材３０にマイクロ発光ダイオードチップ５０を保持させる工程において、マイクロ発光ダイオードチップ５０を有するチップ基板４０と保持部材３０との位置決めするための位置決め手段を有している。図２に示す例では、位置決め手段は、十字型の位置決めマークＭ２である。ただし、十字型の位置決めマークＭ２は例示に過ぎず、例えば四角形、三角形、丸等の種々の位置決めマークＭ２を用いることができる。位置決めマークＭ２は、保持部材３０を一定の間隔で区画する領域ごとに基材３１の一方または他方の面上に複数設けられている。また、位置決めマークＭ２の観察を容易にするために、基材３１は、透明であることが好ましい。
【００３５】
なお、透明とは、当該部材を介して当該部材の一方の側から他方の側を透視し得る程度の透明性を有していることを意味しており、例えば、３０％以上、より好ましくは７０％以上の可視光透過率を有していることを意味する。可視光透過率は、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される。
【００３６】
基材３１の平面視における面積は、後述する複数のマイクロ発光ダイオードチップ５０を有するチップ基板４０より大きくなっている。具体的には、基材３１の平面視における面積は、１７６ｃｍ２以上となっていることが好ましい。また、転写部材２０の平面視における寸法が回路基板１１の平面視における寸法以上となるよう、基材３１の平面視における寸法は、回路基板１１の平面視における寸法以上であることが好ましい。
【００３７】
基材３１の厚さは、透明性や、突出部３３の適切な支持性等を考慮すると、０．５ｍｍ以上３ｍｍ以下の厚みを有していることが好ましい。このような基材３１の材料としては、例えばアクリル樹脂やガラスを挙げることができる。
【００３８】
弾性フィルム３２は、複数の突出部３３を支持するフィルム状の部材である。弾性フィルム３２は、マイクロ発光ダイオードチップ５０を回路基板１１に適切に転写するために、適切な弾性を有している。具体的には、弾性フィルム３２のヤング率は、０．１ＧＰａ以上１０ＧＰａ以下となっており、好ましくは０．１ＧＰａ以上５ＧＰａ以下となっている。また、基材３１に設けられた位置決めマークＭ２の観察を容易にするために、弾性フィルム３２は、透明であることが好ましい。
【００３９】
弾性フィルム３２の平面視における面積は、基材３１の平面視における面積と略同一である。すなわち、弾性フィルム３２の平面視における面積は、後述する複数のマイクロ発光ダイオードチップ５０を有するチップ基板４０より大きくなっている。具体的には、弾性フィルム３２の平面視における面積は、１７６ｃｍ２以上となっていることが好ましい。また、転写部材２０の平面視における寸法が回路基板１１の平面視における寸法以上となるよう、弾性フィルム３２の平面視における寸法は、回路基板１１の平面視における寸法以上であることが好ましい。
【００４０】
弾性フィルム３２の厚さは、透明性や、突出部３３の適切な支持性等を考慮すると、０．１ｍｍ以上１．０ｍｍ以下の厚みを有していることが好ましい。また、弾性フィルム３２は、熱によって変形しにくいことが好ましい。具体的には、弾性フィルム３２の線膨張係数が１０×１０−５／Ｋ以下であることが好ましく、８×１０−５／Ｋ以下であることがより好ましく、５×１０−５／Ｋ以下であることがさらに好ましい。このような弾性フィルム３２の材料としては、例えばポリカーボネートを挙げることができる。
【００４１】
基材３１と弾性フィルム３２とは、例えばアクリル系の透明な接着剤によって接着されていてもよいし、例えば基材３１と弾性フィルム３２との境界面に紫外線等を照射して、基材３１と弾性フィルム３２との境界面を活性化させることで接合されてもよい。
【００４２】
基材３１と弾性フィルム３２とは、通常は剥離しないが、力を加えることで剥離可能な強さで接合されていることが好ましい。具体的には、基材３１と弾性フィルム３２との接着強度は、０．１ＭＰａ以上１００ＭＰａ以下であることが好ましく、０．１ＭＰａ以上１０ＭＰａ以下であることがより好ましく、１ＭＰａ以上５．０ＭＰａ以下であることがさらに好ましい。
【００４３】
突出部３３は、後述する粘着層３５を介して、マイクロ発光ダイオードチップ５０を保持する部分である。突出部３３は、基材３１上に設けられた弾性フィルム３２上において保持部材３０がマイクロ発光ダイオードチップ５０を保持する位置に設けられている。すなわち、突出部３３は、回路基板１１のマイクロ発光ダイオードチップ５０が配置される位置に対応した位置に設けられている。突出部３３の粘着層３５の側の平面視における寸法は、マイクロ発光ダイオードチップ５０の寸法以下であることが好ましい。図示された例では、突出部３３の粘着層３５の側の平面視における寸法は、マイクロ発光ダイオードチップ５０の寸法に等しくなっている。
【００４４】
図５及び図６に示された縦断面図において、突出部３３の弾性フィルム３２の側の長さは、粘着層３５が設けられた側の長さより長くなった台形形状になっている。すなわち、突出部３３の弾性フィルム３２の側の面は、突出部３３の粘着層３５の側の面より大きくなっている。
【００４５】
突出部３３は、弾性フィルム３２の一方の面上に、規則的に二次元配列されている。突出部３３の規則的な二次元配列は、回路基板１１上に規則的に二次元配列される複数のマイクロ発光ダイオードチップ５０に対応している。言い換えると、突出部３３の配列間隔および配列パターンは、回路基板１１上で配列されるべき複数のマイクロ発光ダイオードチップ５０の配列間隔および配列パターンと同一となっている。突出部３３は、第１方向ｄ１にピッチｐ１ｘで配列されており、第１方向ｄ１に非平行な第２方向ｄ２にピッチｐ１ｙで配列されている。なお、図示された例において、第１方向ｄ１と第２方向ｄ２は、互いに直交している。ピッチｐ１ｘ、ｐ１ｙは、例えば５０μｍ以上８７０μｍ以下である。
【００４６】
突出部３３は、基材３１及び弾性フィルム３２のシート面の法線方向に突出している。突出部３３が基材３１及び弾性フィルム３２から突出している長さＬは、マイクロ発光ダイオードチップ５０の厚さより大きいことが好ましく、例えば０．１μｍ以上１００μｍ以下である。また、突出部３３は、柔軟性を有している。具体的には、突出部３３のヤング率は、１０ＧＰａ以下であることが好ましく、５ＧＰａ以下であることがより好ましい。このような突出部３３は、例えばアクリル樹脂からなり、フォトリソグラフィ技術やインプリント技術を利用して、形成することができる。
【００４７】
粘着層３５は、突出部３３にマイクロ発光ダイオードチップ５０を保持させることができるよう、突出部３３の先端に設けられている。粘着層３５は、粘着性を有している。粘着層３５の粘着性は、例えば加熱、冷却又は紫外線照射によって、低下させることができる。なお、本明細書において、粘着性とは、粘り着く性質のことであり、接着性と区別しない。粘着層３５の材料としては、例えばアクリル系粘着剤が用いられる。粘着層３５の厚さは、例えば０．１μｍ以上１００μｍ以下である。
【００４８】
次に、保持部材３０にマイクロ発光ダイオードチップ５０を保持させる方法、すなわち転写部材２０の製造方法について、図８乃至図１５を参照しつつ説明する。以下の説明では、一例として、保持部材３０に第１発光ダイオードチップ５０Ｒを保持させる方法について説明する。
【００４９】
まず、図８に示すように、一方の面上にダイシングされた複数のマイクロ発光ダイオードチップ５０（第１発光ダイオードチップ５０Ｒ）を有するチップ基板４０を用意する。チップ基板４０は、ダイシングされたウエハ自体であってもよいし、ダイシングされたウエハからマイクロ発光ダイオードチップ５０を仮転写した基板であってもよい。チップ基板４０は、チップ基材４１と、チップ基材４１上に配置された複数のマイクロ発光ダイオードチップ５０と、を有している。また、チップ基板４０は、保持部材３０との位置決めするための位置決め手段を有している。図８に示す例では、位置決め手段は、十字型の複数の位置決めマークＭ３である。ただし、十字型の位置決めマークＭ３は例示に過ぎず、例えば四角形、三角形、丸等の種々の位置決めマークＭ３を用いることができる。
【００５０】
各マイクロ発光ダイオードチップ５０は、チップ基材４１の側に設けられた２つの電極５１を有している。また、マイクロ発光ダイオードチップ５０は、チップ基材４１上において、第１方向ｄ１にピッチｐ２ｘで配列されており、第１方向ｄ１に非平行な第２方向ｄ２にピッチｐ２ｙで配列されている。すなわち、マイクロ発光ダイオードチップ５０は、ウエハを第１方向ｄ１及び第２方向ｄ２にダイシングすることで形成されている。なお、図示された例において、第１方向ｄ１と第２方向ｄ２は、互いに直交している。ピッチｐ２ｘ、ｐ２ｙは、例えば５μｍ以上２００μｍ以下である。
【００５１】
ここで、チップ基板４０のマイクロ発光ダイオードチップ５０の第１方向ｄ１における配列のピッチｐ２ｘの整数倍が、保持部材３０の複数の突出部３３の第１方向ｄ１における配列のピッチｐ１ｘとなっている。同様に、チップ基板４０のマイクロ発光ダイオードチップ５０の第２方向ｄ２における配列のピッチｐ２ｙの整数倍が、保持部材３０の複数の突出部３３の第２方向ｄ２における配列のピッチｐ１ｙとなっている。突出部３３の配列間隔および配列パターンが回路基板１１上で配列される複数のマイクロ発光ダイオードチップ５０の配列間隔および配列パターンと同一となっているため、チップ基板４０のマイクロ発光ダイオードチップ５０の第１方向ｄ１における配列のピッチｐ２ｘの整数倍が、回路基板１１のあるマイクロ発光ダイオードチップ５０（第１発光ダイオードチップ５０Ｒ）の第１方向ｄ１における配列のピッチの整数倍となっており、第２方向ｄ２における配列のピッチｐ２ｙの整数倍が、回路基板１１のあるマイクロ発光ダイオードチップ５０（第１発光ダイオードチップ５０Ｒ）の第２方向ｄ２における配列のピッチの整数倍となっている。
【００５２】
次に、図９に示すように、チップ基板４０のチップ基材４１のマイクロ発光ダイオードチップ５０が配置された側の面と、保持部材３０の基材３１の突出部３３が配列された面と、を対面させる。その後、チップ基板４０と保持部材３０との位置決めを行う。位置決めは、保持部材３０の基材３１が有する位置決め手段と、チップ基板４０が有する位置決め手段と、に基づいて行われる。具体的な例として、保持部材３０の第１領域Ｒ１において基材３１が有する位置決めマークＭ２と、チップ基板４０が有する位置決めマークＭ３とを一致させることで、位置決めが行われる。位置決めマークＭ２とＭ３とが一致していることは、例えば、保持部材３０の突出部３３が配列された面とは逆側に配置されたカメラ８０によって、確認することができる。基材３１及び弾性フィルム３２が透明であるため、保持部材３０の突出部３３が配列された面とは逆側から、基材３１及び弾性フィルム３２を介して、位置決めマークＭ２及びＭ３を確認することが可能である。
【００５３】
なお、チップ基板４０と保持部材３０との位置決めは、保持部材３０の基材３１が有する位置決め手段及びチップ基板４０が有する位置決め手段のいずれか一方のみによって行われてもよい。
【００５４】
次に、図１０に示すように、チップ基板４０と保持部材３０とを接近させて、チップ基板４０を保持部材３０に接触させる。チップ基板４０が保持部材３０に接触すると、チップ基板４０のマイクロ発光ダイオードチップ５０が、保持部材３０の第１領域Ｒ１内の複数の突出部３３の先端に設けられた粘着層３５に接触する。マイクロ発光ダイオードチップ５０が粘着層３５に粘着されることで、複数の突出部３３が粘着層３５を介してマイクロ発光ダイオードチップ５０を保持する。すなわち、マイクロ発光ダイオードチップ５０が、チップ基板４０から保持部材３０の第１領域Ｒ１内の複数の突出部３３上に保持される。
【００５５】
ここで、突出部３３が柔軟性を有しているため、具体的には突出部３３のヤング率が１０ＧＰａ以下、より好ましくは５ＧＰａ以下であるため、チップ基板４０が保持部材３０に接触すると、保持部材３０の突出部３３がチップ基板４０と突出部３３との接触面に垂直な方向に変形し得る。このため、チップ基板４０を突出部３３に接触させる接触圧力は、チップ基板４０と接触している各突出部３３に均一にかかる。言い換えると、突出部３３の一部が高い接触圧力でチップ基板４０のマイクロ発光ダイオードチップ５０と接触することを回避することができる。突出部３３の一部が高い接触圧力でマイクロ発光ダイオードチップ５０と接触すると、当該突出部３３とマイクロ発光ダイオードチップ５０との粘着力が、他の突出部３３と他のマイクロ発光ダイオードチップ５０との粘着力と異なるようになり、製造される転写部材２０の取り扱いに不具合が生じたり、高い接触圧力によってマイクロ発光ダイオードチップ５０が破壊されたりし得る。このため、突出部３３の一部が高い接触圧力でマイクロ発光ダイオードチップ５０と接触することは、回避されていることが好ましい。
【００５６】
図１１は、図１０に示すチップ基板４０を保持部材３０の第１領域Ｒ１内の複数の突出部３３に接触させている状態を示す平面図である。チップ基板４０と保持部材３０とが位置決めされていること、及び突出部３３の平面視における寸法がマイクロ発光ダイオードチップ５０の寸法に等しくなっていることで、第１領域Ｒ１内の１つの突出部３３に対して１つのマイクロ発光ダイオードチップ５０を保持させることができる。さらに、図１１に示すように、保持部材３０の複数の突出部３３の第１方向ｄ１における配列のピッチｐ１ｘがチップ基板４０のマイクロ発光ダイオードチップ５０の第１方向ｄ１における配列のピッチｐ２ｘの整数倍（図示された例では５倍）であることから、第１方向ｄ１において第１領域Ｒ１内の全ての突出部３３に対して１つのマイクロ発光ダイオードチップ５０を保持させることができる。同様に、保持部材３０の複数の突出部３３の第２方向ｄ２における配列のピッチｐ１ｙがチップ基板４０のマイクロ発光ダイオードチップ５０の第２方向ｄ２における配列のピッチｐ２ｙの整数倍（図示された例では２倍）であることから、第２方向ｄ２において第１領域Ｒ１内の全ての突出部３３に対してそれぞれ１つのマイクロ発光ダイオードチップ５０を保持させることができる。
【００５７】
その後、図１２に示すように、チップ基板４０と保持部材３０とを離間させた後、チップ基板４０に対して保持部材３０を相対移動させる。チップ基板４０に対して保持部材３０を相対移動させた後の位置は、基材３１が有する位置決め手段及びチップ基板４０が有する位置決め手段によって決定される。例えば、保持部材の第２領域Ｒ２において基材３１が有する位置決めマークＭ２とチップ基板４０が有する位置決めマークＭ３とを一致させることで、位置決めが行われる。なお、保持部材３０の第２領域Ｒ２は、第１領域Ｒ１とは異なる領域であり、図示された例では、第１方向ｄ１において第１領域Ｒ１に隣り合う領域である。
【００５８】
次に、図１３に示すように、チップ基板４０と保持部材３０とを接近させて、チップ基板４０を保持部材３０に接触させる。チップ基板４０保持部材３０に接触すると、チップ基板４０のマイクロ発光ダイオードチップ５０が、保持部材３０の第２領域Ｒ２内の複数の突出部３３の先端に設けられた粘着層３５に接触する。第２領域Ｒ２内の粘着層３５に接触するマイクロ発光ダイオードチップ５０は、第１領域Ｒ１内の粘着層３５に接触したマイクロ発光ダイオードチップ５０とは異なる。複数の突出部３３が粘着層３５を介して複数のマイクロ発光ダイオードチップ５０を保持する。すなわち、マイクロ発光ダイオードチップ５０が、チップ基板４０から保持部材３０の第２領域Ｒ２内の複数の突出部３３上に保持される。
【００５９】
図１４は、図１３に示すチップ基板４０を保持部材３０の第２領域Ｒ２内の複数の突出部３３に接触させている状態を示す平面図である。チップ基板４０と保持部材３０とが位置決めされていること、突出部３３の平面視における寸法がマイクロ発光ダイオードチップ５０の寸法に等しくなっていること、及び保持部材３０の突出部３３の配列のピッチｐ１ｘ、ｐ１ｙがチップ基板４０のマイクロ発光ダイオードチップ５０の配列のピッチｐ２ｘ、ｐ２ｙの整数倍であることから、第２領域Ｒ２内の全ての突出部３３に対してそれぞれ１つのマイクロ発光ダイオードチップ５０を保持させることができる。
【００６０】
以上のように、チップ基板４０に対して保持部材３０を相対移動させる工程と、ある領域の突出部３３にマイクロ発光ダイオードチップ５０を保持させる工程と、を繰り返すことで、保持部材３０の複数の領域の各突出部３３に粘着層３５を介してマイクロ発光ダイオードチップ５０を保持させることができる。図１５に示すように、チップ基板４０に対して保持部材３０を、第１方向ｄ１及び第２方向ｄ２に相対移動させることで、保持部材３０の全領域に亘って突出部３３にマイクロ発光ダイオードチップ５０を保持させることができる。以上の工程により、図５に示すような、保持部材３０と複数のマイクロ発光ダイオードチップ５０とを有する転写部材２０が製造される。
【００６１】
上述した例では、マイクロ発光ダイオードチップ５０として、第１発光ダイオードチップ５０Ｒを保持部材３０に保持させる方法について説明したが、第２発光ダイオードチップ５０Ｇ及び第３発光ダイオードチップ５０Ｂも、同様の工程によってそれぞれ別の保持部材３０に保持させることができる。
【００６２】
次に、転写部材２０を用いて回路基板１１にマイクロ発光ダイオードチップ５０を配置する方法、すなわち発光基板１０の製造方法について、図１６乃至図１９を参照しつつ説明する。以下の説明では、一例として、第１発光ダイオードチップ５０Ｒを回路基板１１に配置する方法について説明する。
【００６３】
まず、図１６に示すように、回路基板１１の回路１３が形成された側の面と、転写部材２０のマイクロ発光ダイオードチップ５０が保持された側の面と、を対面させる。その後、回路基板１１と転写部材２０との位置決めを行う。位置決めは、例えば回路基板１１が有する位置決め手段と、転写部材２０が有する位置決め手段と、に基づいて行われる。具体的な一例として、位置決めは、回路基板１１が有する位置決めマークＭ１と、転写部材２０の基材３１が有する位置決めマークＭ２とを一致させることで、行われる。位置決めマークＭ１，Ｍ２が一致していることは、転写部材２０のマイクロ発光ダイオードチップ５０が保持された面とは逆側に配置されたカメラ９０によって、確認することができる。基材３１及び弾性フィルム３２が透明であるため、転写部材２０のマイクロ発光ダイオードチップ５０が保持された面とは逆側から、基材３１及び弾性フィルム３２を介して、位置決めマークＭ１，Ｍ２を確認することができる。
【００６４】
なお、回路基板１１と転写部材２０との位置決めに用いられる基材３１が有する位置決めマークＭ２は、チップ基板４０と保持部材３０との位置決めに用いられた位置決めマークと同一であってもよいし、チップ基板４０と保持部材３０との位置決めに用いられた位置決めマークとは異なる位置決めマークであってもよい。
【００６５】
次に、図１７に示すように、転写部材２０を回路基板１１に接触させる。回路基板１１と転写部材２０とが位置決めされているため、回路基板１１の回路１３が設けられた位置にマイクロ発光ダイオードチップ５０を接触させることで、回路基板１１の回路１３にマイクロ発光ダイオードチップ５０を電気的に接続させることができる。回路基板１１のマイクロ発光ダイオードチップ５０が配置される位置には、マイクロ発光ダイオードチップ５０を回路基板１１に接着するための異方性導電性接着層（図示せず）が形成されている。
【００６６】
その後、保持部材３０の基材３１を弾性フィルム３２から剥離させる。すなわち、保持部材３０から基材３１を除去する。基材３１と弾性フィルム３２との粘着強度が1ＭＰａ以下となっている場合、基材３１と弾性フィルム３２とに力を加えることで、基材３１を弾性フィルム３２から物理的に容易に剥離させることができる。あるいは、基材３１と弾性フィルム３２との境界面を焦点としたレーザーを照射することで、基材３１を弾性フィルム３２から剥離させてもよい。
【００６７】
次に、図１８に示すように、弾性フィルム３２の他方の面の側、すなわち弾性フィルム３２の突出部３３が設けられた側とは反対側から、転写部材２０を押圧する。弾性フィルム３２の弾性が十分に小さいため、具体的には弾性フィルム３２のヤング率が１０ＧＰａ以下であるため、弾性フィルム３２を押圧しても弾性フィルム３２は破損しにくい。また、弾性フィルム３２が十分に大きいため、具体的には弾性フィルム３２のヤング率が０．１ＧＰａ以上であるため、弾性フィルム３２が押圧されても弾性フィルム３２はほとんど変形しない。
【００６８】
また、突出部３３が柔軟性を有しているため、具体的には突出部３３のヤング率が１０ＧＰａ以下、より好ましくは５ＧＰａ以下であるため、転写部材２０を回路基板１１に押圧すると、保持部材３０の突出部３３が回路基板１１と突出部３３との押圧面に垂直な方向に変形し得る。このため、転写部材２０を回路基板１１に押圧する圧力は、回路基板１１に押圧されている各突出部３３に均一にかかる。言い換えると、突出部３３の一部に保持されたマイクロ発光ダイオードチップ５０が高い圧力で回路基板１１に押圧されることを回避することができる。突出部３３の一部に保持されたマイクロ発光ダイオードチップ５０が高い圧力で回路基板１１に押圧されると、高い圧力によってマイクロ発光ダイオードチップ５０が破壊されたりし得る。このため、突出部３３の一部に保持されたマイクロ発光ダイオードチップ５０が高い圧力で回路基板１１に押圧されることは、回避されていることが好ましい。
【００６９】
転写部材２０を回路基板１１に押圧している状態で、異方性導電性接着層を加熱する。異方性導電性接着層が加熱されることで、回路基板１１とマイクロ発光ダイオードチップ５０とが接着される。また、異方性導電性接着層によれば、押圧方向に導電性を発現することができる。したがって、マイクロ発光ダイオードチップ５０の各電極５１を、押圧方向に対向する回路１３と電気的に接続することができる。
【００７０】
ここで、転写部材２０の弾性フィルム３２が熱によって変形しにくいため、具体的には弾性フィルム３２の線膨張係数が１０×１０−５／Ｋ以下、より好ましくは８×１０−５／Ｋ以下、さらに好ましくは５×１０−５／Ｋ以下であるため、異方性導電性接着層が加熱される際に転写部材２０が加熱されたとしても、回路基板１１と転写部材２０との位置決めがずれにくい。すなわち、転写部材２０から回路基板１１へマイクロ発光ダイオードチップ５０を精度よく転写することができる。
【００７１】
また、転写部材２０を回路基板１１に押圧している状態で、粘着層３５の粘着性を低下させる。すなわち、粘着層３５に加熱する、冷却する又は紫外線を照射する。なお、加熱により粘着層３５の粘着性を低下させる場合、上述した異方性導電性接着層を加熱する際の熱を利用してもよい。粘着層３５の粘着性を低下させることで、マイクロ発光ダイオードチップ５０を粘着層３５から容易に剥離させることができる。
【００７２】
その後、図１９に示すように、保持部材３０を回路基板１１から離間させて、保持部材３０を除去する。以上の工程によって、転写部材２０の保持部材３０が保持する複数のマイクロ発光ダイオードチップ５０が、回路基板１１の回路１３に電気的に接続するようにして、転写部材２０の保持部材３０から回路基板１１に一括で転写、すなわちまとめて転写される。
【００７３】
上述した例では、マイクロ発光ダイオードチップ５０として、第１発光ダイオードチップ５０Ｒを回路基板１１に一括で転写する方法について説明した。この工程と同様の工程を、第２発光ダイオードチップ５０Ｇを保持する別の保持部材３０及び第３発光ダイオードチップ５０Ｂを保持するさらに別の保持部材３０についても行うことで、回路基板１１に３種のマイクロ発光ダイオードチップ５０を配置された発光基板１０が製造される。すなわち、フルカラーで発光することができる発光基板１０を得ることができる。
【００７４】
なお、保持部材３０の突出部３３の突出している長さＬがマイクロ発光ダイオードチップ５０の厚さより大きくなっている。このため、転写部材２０を用いて、例えば第１発光ダイオードチップ５０Ｒを回路基板１１に一括で転写した後に第２発光ダイオードチップ５０Ｇを回路基板１１に転写する場合でも、第２発光ダイオードチップ５０Ｇの転写は、回路基板１１に転写されている第１発光ダイオードチップ５０Ｒによって阻害されにくい。
【００７５】
上述したように、特許文献１の粘着スタンプは、発光基板の製造工程において、ウエハから回路基板へのピックアンドプレイス工程に繰り返し使用されることで、粘着力が低下してしまうため、マイクロ発光ダイオードチップを回路基板に配置して発光基板を製造する生産性を高めにくい。一方、本実施の形態の保持部材３０によれば、ウエハ自体又はウエハからマイクロ発光ダイオードチップを仮転写した基板であるチップ基板４０から、保持部材３０の複数の領域に、マイクロ発光ダイオードチップ５０を保持させることができる。そして、保持部材３０にマイクロ発光ダイオードチップ５０を保持させた転写部材２０を回路基板１１に押圧することで、回路基板１１にマイクロ発光ダイオードチップ５０を転写することができる。このように、発光基板１０の製造工程において、保持部材の粘着層３５を介したマイクロ発光ダイオードチップ５０の保持及び剥離は、１回のみ行われる。このため、粘着層３５の粘着力が発光基板の製造中に低下することにはならないため、高い生産性で発光基板１０を製造することができる。さらには、回路基板１１にマイクロ発光ダイオードチップ５０を一括で転写することができるため、発光基板１０を簡易に製造することができ、発光基板１０の生産性を高めることができる。
【００７６】
また、特許文献１の粘着スタンプを用いてピックアンドプレイス工程を繰り返すことは、粘着スタンプをウエハと回路基板との間で往復させることになるため、発光基板の生産に時間がかかり、生産性が低くなってしまう。一方、本実施の形態の転写部材２０の製造方法及び発光基板１０の製造方法によれば、チップ基板４０に対して保持部材３０を相対移動させることによって保持部材３０にマイクロ発光ダイオードチップ５０を保持させ、マイクロ発光ダイオードチップ５０を保持した転写部材２０を回路基板１１に押圧することで、発光基板１０を製造することができる。チップ基板４０に対する保持部材３０の相対移動は、粘着スタンプのウエハと回路基板との間の往復に比べて微小である。したがって、本実施の形態の転写部材２０の製造方法及び発光基板１０の製造方法によれば、発光基板１０を製造する時間を短くすることができる。すなわち、高い生産性で発光基板１０を製造することができる。
【００７７】
さらに、本実施の形態の保持部材３０において、基材３１は、位置決めマークＭ２を有している。この位置決めマークＭ２とチップ基板４０が有する位置決めマークＭ３とによって、保持部材３０へマイクロ発光ダイオードチップ５０を高精度で保持させることができる。また、位置決めマークＭ２と回路基板１１が有する位置決めマークＭ１とによって、転写部材２０から回路基板１１へマイクロ発光ダイオードチップ５０を高精度で転写することができる。すなわち、高い生産性で発光基板１０を製造することができる。
【００７８】
また、本実施の形態では、保持部材３０の突出部３３の配列のピッチｐ１ｘ、ｐ１ｙが基板のマイクロ発光ダイオードチップ５０の配列のピッチｐ２ｘ、ｐ２ｙの整数倍となっている。このため、チップ基板４０と保持部材３０とが位置決めされることで、保持部材３０の各突出部３３に１つのマイクロ発光ダイオードチップ５０を高精度で配置した転写部材２０を製造することができる。この転写部材２０を用いることで、高い生産性で発光基板１０を製造することができる。
【００７９】
さらに、本実施の形態の保持部材３０において、突出部のヤング率が１０ＧＰａ以下、より好ましくは５ＧＰａ以下である。突出部３３が柔軟性を有しているため、転写部材２０の製造工程においてチップ基板４０が突出部３３に接触する際、突出部３３の一部が高い接触圧力でマイクロ発光ダイオードチップ５０と接触してしまい、マイクロ発光ダイオードチップ５０が破壊されることを回避することができる。また、発光基板１０の製造工程において転写部材２０を回路基板１１に押圧する際、突出部３３の一部が高い圧力でマイクロ発光ダイオードチップ５０に押圧されてしまい、マイクロ発光ダイオードチップ５０が破壊されることを回避することができる。すなわち、高い生産性で転写部材２０及び発光基板１０を製造することができる。
【００８０】
ところで、上述したように、複数のマイクロ発光ダイオードチップを転写部材の保持部材から回路基板に一括で転写する工程において、基材が押圧されると、基材が折れ曲がってしまったり、基材が変形してしまったりして、マイクロ発光ダイオードチップの位置精度が低下することがある。一方、本実施の形態の保持部材３０は、基材３１の一方の面上に設けられた弾性フィルム３２を有している。そして、複数のマイクロ発光ダイオードチップ５０を転写部材２０の保持部材３０から回路基板１１に一括で転写する工程の前に、基材３１は弾性フィルム３２から剥離され、弾性フィルム３２が押圧される。このため、基材３１が押圧されることがなく、したがって基材３１の破損や変形によって基材３１上に配置されたマイクロ発光ダイオードチップ５０の位置がずれてマイクロ発光ダイオードチップ５０の位置精度が低下することがない。また、押圧される弾性フィルム３２の弾性が十分に小さいため、具体的には弾性フィルム３２のヤング率が１０ＧＰａ以下であるため、弾性フィルム３２が押圧されても弾性フィルム３２は破損しにくい。このため、弾性フィルム３２の破損によるマイクロ発光ダイオードチップ５０の位置精度の悪化が発生しにくい。さらに、押圧される弾性フィルム３２が十分に大きいため、具体的には弾性フィルム３２のヤング率が０．１ＧＰａ以上であるため、弾性フィルム３２が押圧されても弾性フィルム３２はほとんど変形せず、したがって突出部３３に保持されたマイクロ発光ダイオードチップ５０の位置がほとんど動かない。すなわち、マイクロ発光ダイオードチップ５０の位置精度がほとんど悪化しない。このように、適切な弾性を有する弾性フィルム３２によって、マイクロ発光ダイオードチップ５０を精度よく所定の位置に配置することができる。
【００８１】
また、本実施の形態の保持部材３０において、弾性フィルム３２の線膨張係数が１０×１０−５／Ｋ以下、より好ましくは８×１０−５／Ｋ以下、さらに好ましくは５×１０−５／Ｋ以下である。弾性フィルム３２に熱による変形が生じにくいため、発光基板１０の製造工程において、転写部材２０が加熱されたとしても、回路基板１１と転写部材２０との位置決めがずれにくい。転写部材２０から回路基板１１へマイクロ発光ダイオードチップ５０を精度よく転写することができる。すなわち、マイクロ発光ダイオードチップ５０を精度よく所定の位置に配置することができる。
【００８２】
さらに、本実施の形態の保持部材３０において、基材３１と弾性フィルム３２との接着強度は、０．１ＭＰａ以上１００ＭＰａ以下となっている。このため、基材３１と弾性フィルム３２とは、保持部材３０にマイクロ発光ダイオードチップ５０を保持させる工程や、保持部材３０にマイクロ発光ダイオードチップ５０を保持させた転写部材２０を運搬する工程等では、適切に接着され、且つ、基材３１を弾性フィルム３２から剥離させる工程において、基材３１と弾性フィルム３２とに力を加えることで、基材３１を弾性フィルム３２から物理的に容易に剥離させることができる。
【００８３】
また、本実施の形態の保持部材３０において、突出部３３の弾性フィルム３２の側の面は、突出部３３の粘着層３５の側の面より大きくなっている。上述したように、突出部３３の先端には粘着層３５が設けられており、粘着層３５を介してマイクロ発光ダイオードチップ５０を保持する。したがって、突出部３３のこのような形状によれば、粘着層３５によって突出部３３がマイクロ発光ダイオードチップ５０を保持した状態で、突出部３３を安定させやすくなる。このため、突出部３３に保持されたマイクロ発光ダイオードチップ５０の位置がずれにくい。すなわち、マイクロ発光ダイオードチップ５０を精度よく所定の位置に配置することができる。
【００８４】
以上のように、本実施の形態の保持部材３０は、複数の発光ダイオードチップ５０を保持する保持部材であって、基材３１と、基材３１の一方の面上に設けられた弾性フィルム３２と、弾性フィルム３２の一方の面上に規則的に二次元配列された複数の突出部３３と、突出部３３の先端に設けられた粘着性を有する粘着層３５と、を備える。このような保持部材３０によれば、弾性フィルム３２が適切な弾性を有しているため、弾性フィルム３２の破損や弾性フィルム３２の変形によるマイクロ発光ダイオードチップ５０の位置精度の悪化を抑制することができる。すなわち、マイクロ発光ダイオードチップ５０を精度よく所定の位置に配置することができる。
【００８５】
なお、上述した実施の形態に対して様々な変更を加えることが可能である。
【００８６】
例えば、図２０に示すように、突出部３３は、基部３３ａと、基部３３ａ上に支持された複数の微細延出部３３ｂと、を含んでいてもよい。図示されているように、各微細延出部３３ｂは、基部３３ａより微細になっている。微細延出部３３ｂは、基部３３ａ上に二次元配列されている。各微細延出部３３ｂが屈曲することができるため、微細延出部３３ｂは、基部３３ａより高い柔軟性を有している。突出部３３がこのような構成を有することで、突出部３３は、より高い柔軟性を有することができる。このため、保持部材３０にマイクロ発光ダイオードチップ５０を保持させる際に、突出部３３の一部が高い接触圧力でチップ基板４０のマイクロ発光ダイオードチップ５０と接触することを、より効果的に回避することができる。また、転写部材２０を用いて回路基板１１にマイクロ発光ダイオードチップ５０を配置する際に、突出部３３の一部に保持されたマイクロ発光ダイオードチップ５０が高い圧力で回路基板１１に押圧されることを、より効果的に回避することができる。すなわち、マイクロ発光ダイオードチップ５０が破壊されることが、より効果的に回避される。
【００８７】
さらに、図２０に示された例では、各微細延出部３３ｂの基部３３ａ側の面は、粘着層３５の側の面より大きくなっている。微細延出部３３ｂのこのような形状によれば、粘着層３５によって突出部３３がマイクロ発光ダイオードチップ５０を保持した状態で、突出部３３をより安定させやすくなる。このため、突出部３３に保持されたマイクロ発光ダイオードチップ５０の位置がずれにくい。すなわち、マイクロ発光ダイオードチップ５０を精度よく所定の位置に配置することができる。
【００８８】
また、上述した実施の形態では、突出部３３は、弾性フィルム３２上にフォトリソグラフィ技術やインプリント技術を利用して、形成されていた。しかしながら、突出部３３は、弾性フィルム３２と一体的に形成されていてもよい。突出部３３は、弾性フィルム３２を形成する材料をドライエッチングすることや、弾性フィルム３２と同一の材料で弾性フィルム３２上にインプリントすることで、弾性フィルム３２と一体的に形成することができる。突出部３３が弾性フィルム３２と一体的に形成される場合、突出部３３と弾性フィルム３２との間に界面が形成されないため、突出部３３と弾性フィルム３２との剥離を効果的に抑制することができる。また、突出部３３を弾性フィルム３２と一括で形成することができるため、突出部３３を形成するコストを削減することができる。
【００８９】
さらに、突出部３３は、粘着性を有していてもよい。突出部３３が粘着性を有することで、突出部３３の先端に設けられる粘着層３５を省略することができる。したがって、粘着層３５を設けるコストを削減することができる。
【００９０】
また、粘着層３５は、突出部３３の先端のみでなく、突出部３３の間にも設けられていてもよい。さらには、粘着層３５は、保持部材３０の突出部３３が形成された側の面の全体に設けられていてもよい。この場合、例えば保持部材３０の突出部３３が形成された側の面にコーティングすることによって、粘着層３５を容易に設けることができる。
【００９１】
なお、上述した発光基板１０は、表示装置１以外にも、例えば照明装置に用いられてもよい。
【符号の説明】
【００９２】
１    表示装置
５    表示面
７    拡散層
１０    発光基板
１１    回路基板
１３    回路
２０    転写部材
３０    保持部材
３１    基材
３２    弾性フィルム
３３    突出部
３５    粘着層
４０    チップ基板
５０    マイクロ発光ダイオードチップ
５０Ｒ  第１発光ダイオードチップ
５０Ｇ  第２発光ダイオードチップ
５０Ｂ  第３発光ダイオードチップ
５１    電極
Ｒ１    第１領域
Ｒ２    第２領域
Ｒ３    第３領域
Ｍ１，Ｍ２，Ｍ３    位置決めマーク
Ｐ１ｘ、Ｐ１ｙ、Ｐ２ｘ、Ｐ２ｙ    ピッチ
【図１】
2020174128.tif 000003
【図２】
2020174128.tif 000004
【図３】
2020174128.tif 000005
【図４】
2020174128.tif 000006
【図５】
2020174128.tif 000007
【図６】
2020174128.tif 000008
【図７】
2020174128.tif 000009
【図８】
2020174128.tif 000010
【図９】
2020174128.tif 000011
【図１０】
2020174128.tif 000012
【図１１】
2020174128.tif 000013
【図１２】
2020174128.tif 000014
【図１３】
2020174128.tif 000015
【図１４】
2020174128.tif 000016
【図１５】
2020174128.tif 000017
【図１６】
2020174128.tif 000018
【図１７】
2020174128.tif 000019
【図１８】
2020174128.tif 000020
【図１９】
2020174128.tif 000021
【図２０】
2020174128.tif 000022